(57)【要約】【課題】本発明は、空気調和機の室内機のエアフィルタ−自動清掃セットのコンパクト化を主観点として、エアフィルタ−に堆積したホコリを排塵する装置と、室内の空気と屋外の空気とを換気・吸気する装置の構成を明確にしたものである。【解決手段】空気調和機の室内機の内部に熱交換器１３とクロスフロ−ファンを有し、室内機のエアフィルター２に付着するホコリを吸引し、エアフィルタ−２の左右に動く吸引ノズル３をエアフイルタ−２の風上側に配し、吸引ノズル３からホコリを吸引してから排塵する装置６と、ラジアルファン１５を可逆回転させることにより換気と吸気という両方の機能をそなえた装置９という２個の専用装置を室内機の内部に配置し、屋外へ連通する排塵用のホ−ス８と、屋外と換気・吸気用のホ−ス１２と２個の専用ホ−スを有する排塵・換気・吸気機能を持つようにしたものである。【選択図】図１
2007127289.tif 000002
【特許請求の範囲】
【請求項１】
空気調和機の室内機の内部に熱交換器と送風機を有し、前記室内機のエアフィルターに付着するホコリを除去し排塵する装置と、ファンの回転により換気機能そなえた装置を前記室内機の内部に配置した空気調和機であって、前記それぞれの装置を屋外と連通する排塵用と、換気用の２個のホ−スを有することを特徴とする空気調和機。
【請求項２】
空気調和機の室内機の内部に熱交換器と送風機を有し、前記室内機のエアフィルターに付着するホコリを吸引し、前記エアフィルタ−の左右に動く吸引ノズルを前記エアフイルタ−近傍に配し、前記吸引ノズルからホコリを吸引してから排塵する装置と、ファンの可逆回転により換気と吸気機能の両方の機能をそなえた２個の専用装置を前記室内機の内部に配置した空気調和機であって、前記それぞれの装置を屋外と連通する排塵用と、換気・吸気用の２個の専用ホ−スを有することを特徴とする、請求項１記載の空気調和機。
【請求項３】
空気調和機の室内機の内部に熱交換器と送風機を有し、前記室内機のエアフィルターに付着するホコリを吸引し、前記エアフィルタ−の左右に動く吸引ノズルを前記エアフイルタ−近傍に配し、前記吸引ノズルからホコリを吸引し排塵する機能を有する装置と、換気と吸気機能の両方の機能をそなえた装置という２個の専用装置を前記室内機の内部に配置した空気調和機であって、前記それぞれの装置を屋外へ連通する排塵用のホ−スと、屋外に対して換気・吸気用のホ−スと２個の専用ホ−スを有し、前記換気・吸気ホ−スの先に加湿装置を設け、吸気時に前記加湿装置から加湿された空気を室内へ吸気することを特徴とする空気調和機。
【発明の詳細な説明】
【技術分野】
【０００１】
本発明は、空気調和機の室内機のエアフイルタ−の自動清掃が可能なフィルター清掃装置を備えた空気調和機に関するものである。
【背景技術】
【０００２】
従来、エアフィルタ−清掃は、公知の如く、ファンにより吸込んだ空気を熱交換器で冷却もしくは加熱した後、室内へ送風する空気調和機では、吸込む空気中に漂う塵埃が空気調和機の本体内部へ侵入することを防ぐため、空気調和機の吸込口裏面にエアフィルターが設けられており、このエアフィルターは、付着した塵埃を手で清掃できるように着脱自在に構成されている。
また、エアフィルターの清掃が容易な空気調和機として、特許文献１に記載されている。この公報に記載の空気調和機は、図６に記載のようにモータ４０で繰出し／巻取られる帯状のフィルター４１とフィルター４１の除塵部材４２と、フイルタ−４１に付着したホコリを貯めるダストボックス４３から構成されたフイルタ−装置４４を、空気調和機室内機の吸入パネルの吸気口の裏面に設置した構成と成っている。
【特許文献１】特開２００１−９９４７９号公報
【発明の開示】
【発明が解決しようとする課題】
【０００３】
しかしながら、前記従来技術の構成は、エアフィルターは空気調和機の使用頻度に応じて空気調和機より取り外し、水洗いもしくは掃除機などで付着した塵埃を掃除するという周期的なメンテナンスを要する。また更に、特開２００１−９９４７９号公報のように、周期的なメンテナンスが成されなかった場合、エアフィルターの塵埃を溜めたダストボックス４３のホコリを清掃するという、定期的なメンテナンスを必要とするものである。
【０００４】
すなわち、空気調和機のエアフィルタ−に堆積するホコリを清掃するというメンテナンスが必ず必要であった。
【０００５】
エアフイルタ−に堆積するホコリは、吸込み空気が貫通していくエアフィルタ−の通気抵抗が増大するため空気調和機・室内機のＣＯＰが低下し、消費電力が増大するという課題があった。
【課題を解決するための手段】
【０００６】
前記従来の課題を解決するために、本発明の空気調和機は、空気調和機の室内機の内部に熱交換器と送風機を有し、室内機のエアフィルターに付着するホコリを除去し、排塵する装置と、ファンの回転により換気機能そなえた装置を室内機の内部に配置し、屋外へ連通する排塵用のホ−スと、換気用のホ−スと２個の専用ホ−スを有することを特徴とする空気調和機を提供するものである。
【０００７】
これによって、排塵時の風量は少なく、換気時の風量は多めなので、その為に屋外へ連通する排塵用のホ−スの直径は小さく、屋外と換気用のホ−スの直径は比較して大きくなり、流れる風速に応じて各々のホ−スの直径を決定できるので、結果的にホ−スの占める容積をコンパクト化できる。
【０００８】
また本発明の空気調和機は、空気調和機の室内機の内部に熱交換器とクロスフロ−ファンを有し、室内機のエアフィルターに付着するホコリを吸引し、エアフィルタ−の左右に動く吸引ノズルをエアフイルタ−の風上側に配し、吸引ノズルからホコリを吸引してから
排塵する装置と、ファンを可逆回転させることにより換気と吸気という両方の機能をそなえた装置という２個の専用装置を室内機の内部に配置し、屋外へ連通する排塵用のホ−スと、屋外と換気・吸気用のホ−スと２個の専用ホ−スを有する排塵・換気・吸気機能を持ったことを特徴としたものである。
【０００９】
これによって、排塵機能と、１個のファンの可逆回転により屋外に対して換気と吸気できる機能を持つことになる。
【００１０】
即ち、２個の装置により、排塵・換気・吸気という３種の機能を果たすことができるので、機能に対して、これら装置の占める容積をコンパクト化できる。更に、吸引ノズルから吸引する排塵時の風量は少なく、換気や吸気時の風量は多めなので、その為に屋外への排塵用のホ−スの直径は小さく、屋外と換気や吸気用のホ−スの直径は比較して大きくなり、流れる風速に応じて各々のホ−スの直径を決定できるので、結果的にホ−スの占める容積をコンパクト化できる。
【００１１】
また本発明の空気調和機は、空気調和機の室内機の内部に熱交換器とクロスフロ−ファンを有し、室内機のエアフィルターに付着するホコリを吸引し、エアフィルタ−の左右に動く吸引ノズルをエアフイルタ−の風上側に配し、吸引ノズルからホコリを吸引して、そして排塵する機能を有する装置と、換気と吸気機能の両方の機能をそなえた装置という２個の専用装置を室内機の内部に配置し、屋外へ連通する排塵用のホ−スと、屋外に対して換気・吸気用のホ−スと２個の専用ホ−スを有し、換気・吸気ホ−スの先に加湿装置を装着して、吸気時に加湿装置から加湿された新鮮な空気を室内へ吸気する機能を持ったことを特徴としたものである。
【００１２】
これによって、排塵機能と、１個のファンの可逆回転により屋外に対して換気と吸気できる機能を持つことになる。
【００１３】
即ち、２個の装置により、排塵・換気・吸気という３種の機能を果たすことができるので、機能に対して、これら装置の占める容積をコンパクト化できる。更に、吸引ノズルから吸引する排塵時の風量は少なく、換気や吸気時の風量は多めなので、その為に屋外へ排塵用のホ−スの直径は小さく、屋外と換気や吸気用のホ−スの直径は比較して大きくなり、流れる風速に応じて各々のホ−スの直径を決定できるので、結果的にホ−スの占める容積をコンパクト化できる作用は同様であるが、換気・吸気ホ−スの先に接続された加湿装置が作動している時は、吸気時に室内を加湿できる機能を持つことができる。
【発明の効果】
【００１４】
本発明の空気調和機は、室内機の内部に熱交換器と送風機を有し、室内機のエアフィルターに付着するホコリを除去し、排塵する装置と、ファンの回転により換気機能そなえた装置を室内機の内部に配置し、屋外へ連通する排塵用のホ−スと、換気用のホ−スと２個の専用ホ−スを有することを特徴とする空気調和機を提供するものである。
【００１５】
これによって、排塵時の風量は少なく、換気時の風量は多めなので、その為に屋外へ連通する排塵用のホ−スの直径は小さく、屋外と換気用のホ−スの直径は比較して大きくなり、流れる風速に応じて各々のホ−スの直径を決定できるので、結果的にホ−スの占める容積をコンパクト化できるものである。
【発明を実施するための最良の形態】
【００１６】
第１の発明は、空気調和機の室内機の内部に熱交換器と送風機を有し、室内機のエアフィルターに付着するホコリを除去し、排塵する装置と、ファンの回転により換気機能そなえた装置を室内機の内部に配置し、屋外へ連通する排塵用のホ−スと、換気用のホ−スと
２個の専用ホ−スを有することを特徴とする空気調和機を提供するものである。
【００１７】
これによって、排塵時の風量は少なく、換気時の風量は多めなので、その為に屋外へ連通する排塵用のホ−スの直径は小さく、屋外と換気用のホ−スの直径は比較して大きくなり、流れる風速に応じて各々のホ−スの直径を決定できるので、結果的にホ−スの占める容積をコンパクト化できる。
【００１８】
第２の発明は、特に第１の発明の空気調和機の室内機の内部に熱交換器とクロスフロ−ファンを有し、室内機のエアフィルターに付着するホコリを吸引し、エアフィルタ−の左右に動く吸引ノズルをエアフイルタ−の風上側に配し、吸引ノズルからホコリを吸引してから排塵する装置と、ファンを可逆回転させることにより換気と吸気という両方の機能をそなえた装置という２個の専用装置を室内機の内部に配置し、屋外へ連通する排塵用のホ−スと、屋外と換気・吸気用のホ−スと２個の専用ホ−スを有する排塵・換気・吸気機能を持ったことを特徴としたものである。
【００１９】
これによって、排塵機能と、１個のファンの可逆回転により野外に対して換気と吸気できる機能を持つことになる。即ち、２個の装置により、排塵・換気・吸気という３種の機能を果たすことができるので、機能に対して、これら装置の占める容積をコンパクト化できる。更に、吸引ノズルから吸引する排塵時の風量は少なく、換気や吸気時の風量は多めなので、その為に屋外へ排塵用のホ−スの直径は小さく、屋外と換気や吸気用のホ−スの直径は比較して大きく、流れる風速に応じて各々のホ−スの直径を決定できるので、結果的にホ−スの占める容積をコンパクト化できる。
【００２０】
第３の発明は、空気調和機の室内機の内部に熱交換器とクロスフロ−ファンを有し、室内機のエアフィルターに付着するホコリを吸引し、エアフィルタ−の左右に動く吸引ノズルをエアフイルタ−の風上側に配し、吸引ノズルからホコリを吸引して、そして排塵する機能を有する装置と、換気と吸気機能の両方の機能をそなえた装置という２個の専用装置を室内機の内部に配置し、屋外へ連通する排塵用のホ−スと、屋外に対して換気・吸気用のホ−スと２個の専用ホ−スを有し、換気・吸気ホ−スの先に加湿装置を装着して、吸気時に加湿装置から加湿された新鮮な空気を吸気する機能を持ったことを特徴としたものである。
【００２１】
これによって、排塵機能と、１個のファンの可逆回転により屋外に対して換気と吸気できる機能を持つことになる。即ち、２個の装置により、排塵・換気・吸気という３種の機能を果たすことができるので、機能に対して、これら装置の占める容積をコンパクト化できる。更に、吸引ノズルから吸引する排塵時の風量は少なく、換気や吸気時の風量は多めなので、その為に屋外へ連通する排塵用のホ−スの直径は小さく、屋外と換気や吸気用のホ−スの直径は比較して大きく、流れる風速に応じて各々のホ−スの直径を決定できるので、結果的にホ−スの占める容積をコンパクト化できる作用は同様であるが、換気・吸気ホ−スの先に接続された加湿装置が作動している時は、吸気時に室内を加湿できる機能を持つことができる。
【００２２】
以下、本発明の実施の形態について図面を参照しながら説明する。なおこの実施の形態によって本発明が限定されるものではない。
【００２３】
（実施の形態１）
図１は、本発明の第１の実施の形態におけるエアフィルタ−清掃セットの斜視図を示すものである。図２は、本発明の第１の実施の形態における空気調和機の室内機の横断面図を示すものである。図３は、本発明の第１の実施の形態における排塵装置の正面図を示すものである。図４は、本発明の第１の実施の形態における吸気・換気装置の正面図を示す
ものである。
【００２４】
図１において、空気調和機の室内機のフロントグリルの裏面に配置されるエアフィルタ−清掃セットにおいて、１はエアフィルタ−枠であり、２がエアフィルタ−であり、２ａがエアフィルタ−２に取り付けられ空気中のホコリをとるネットである。
【００２５】
３が、エアフィルタ−２を左右に駆動されてネット２ａに付いたホコリを吸引する吸引ノズルである。
【００２６】
４は、吸引ノズルの左右駆動を導くガイドレ−ルであり、５は吸引ノズル３から吸引したホコリを排塵装置６に送る吸引ダクトである。
【００２７】
６が排塵装置であり、７がホコリの排気口であり、８は排塵ホ−スである。
【００２８】
９は換気・吸気装置であり、１０は換気・吸気口であり、１１が室内への換気・吸気口であり、１２が換気・吸気ホ−スである。図２において、１３が空気調和機の室内機の熱交換器である。
【００２９】
図３において、１４は排塵装置のシロッコファンである。図４において、１５は換気・吸気装置のラジアルファンである。この例では、排塵装置６と換気・吸気装置９は、空気調和機の室内機の内部側面に配置されている。
【００３０】
即ち、空気調和機の室内機の内部に熱交換器１３とクロスフロ−ファンを有し、室内機のエアフィルター２に付着するホコリを吸引し、エアフィルタ−２の左右に動く吸引ノズル３をエアフイルタ−２の風上側に配し、吸引ノズル３からホコリを吸引してから排塵する装置６と、ラジアルファン１５を可逆回転させることにより換気と吸気という両方の機能をそなえた装置９という２個の専用装置を室内機の側面内部に配置し、屋外へ連通する排塵用のホ−ス８と、屋外と換気・吸気用のホ−ス１２と２個の専用ホ−ス有するを排塵・換気・吸気機能を持つようにしたものである。
【００３１】
以上のように構成された空気調和機の室内機のエアフィルタ−清掃セットの動作と作用を説明する。
【００３２】
クロスフロ−ファンの送風作用により熱交換器１３にて空気調和される際に、エアフィルタ−２のネット２ａに、室内のホコリが堆積される。
【００３３】
ガイドレ−ル４に沿って、左右に駆動される吸引ノズル３から、そのホコリが吸引されて、吸引ダクト５を通って、排塵装置６内のシロッコファン１４の回転により、排塵される。排気口７と排塵ホ−ス８を通って、屋外に、このホコリは自動的に排塵されることになるので、エアフィルタ−２のメンテナンスは不用になるものである。
【００３４】
換気・吸気装置９のラジアルファン１５が、正回転している時は、室内の換気・吸気口１１から室内の汚れた空気を吸い込み、換気・吸気口１０と換気・吸気ホ−ス１２を通って屋外に捨てられる。ラジアルファン１５が、反回転している時は、屋外の新鮮な空気を換気・吸気ホ−ス１２から吸い込み、換気・吸気口１０を通って、換気・吸気装置９に送られて、室内への換気・吸気口１１から、この新鮮な空気は室内へ送り込まれる。
【００３５】
これによって、排塵機能と、１個のラジアルファン１５の可逆回転により屋外に対して換気と吸気できる機能を持つことになる。
【００３６】
即ち、２個の装置により、排塵・換気・吸気という３種の機能を果たすことができるので、機能に対して、これら装置の占める容積をコンパクト化できる。
【００３７】
更に、吸引ノズル３から吸引する排塵時の風量は少なく、換気や吸気時の風量は多めなので、その為に屋外へ排塵用のホ−ス８の直径は小さく、屋外と換気や吸気用のホ−ス１２の直径は比較して大きくなり、流れる風速に応じて各々のホ−スの直径を決定できるので、結果的には各々のホ−スの占める容積をコンパクト化できるものである。
【００３８】
（実施の形態２）
図５は、本発明の第２の実施の形態における排塵機構と換気・吸気・加湿機構を示す模式図である。
【００３９】
図５において、１６は加湿器である。
【００４０】
これは、換気・吸気ホ−ス１２の先に設置されているものである。空気調和機の室内機の内部に熱交換器１３とクロスフロ−ファンを有し、室内機のエアフィルター２に付着するホコリを吸引し、エアフィルタ−２の左右に動く吸引ノズル３をエアフイルタ−２の風上側に配し、吸引ノズル３からホコリを吸引して、そして排塵する機能を有する装置６と、換気と吸気機能の両方の機能をそなえた装置９という２個の専用装置を室内機の内部に配置し、屋外へ連通する排塵用のホ−ス８と、屋外に対して換気・吸気用のホ−ス１２と２個の専用ホ−スを有し、換気・吸気ホ−ス１２の先に加湿装置１６を装着して、吸気時に加湿装置１６から加湿された新鮮な空気を室内へ吸気する機能を持ったものである。
【００４１】
以上のように構成された空気調和機の室内機のエアフィルタ−清掃セット並びに換気・吸気・加湿装置の動作と作用を説明する。換気・吸気装置９内のラジアルファン１５を反回転させて、加湿装置１６を作動させている時、屋外の新鮮な空気は、加湿装置１６にて加湿されて、換気・吸気ホ−ス１２を通って、換気・吸気装置９から、室内への換気・吸気口１１から室内へ送り込まれる。
【００４２】
即ち、排塵機能と、１個のラジアルファン１５の可逆回転により屋外に対して換気と吸気できる機能を持つことになる。
【００４３】
即ち、２個の装置により、排塵・換気・吸気という３種の機能を果たすことができるので、機能に対して、これら装置の占める容積をコンパクト化できる。更に、吸引ノズル３から吸引する排塵時の風量は少なく、換気や吸気時の風量は多めなので、その為に屋外へ連通する排塵用のホ−ス８の直径は小さく、屋外と換気や吸気用のホ−ス１２の直径は比較して大きくなり、流れる風速に応じて各々のホ−スの直径を決定できるので、結果的にホ−スの占める容積をコンパクト化できる作用は同様であるが、換気・吸気ホ−ス１２の先に接続された加湿装置１６が作動している時は、吸気時に室内を加湿できる機能を持つことができる。
【００４４】
以上のように、本発明にかかる空気調和機は、室内機の内部に熱交換器と送風機を有し、室内機のエアフィルターに付着するホコリを除去し、排塵する装置と、ファンの回転により換気機能そなえた装置を室内機の内部に配置し、屋外へ連通する排塵用のホ−スと、換気用のホ−スと２個の専用ホ−スを有することを特徴とする空気調和機を提供するものである。
【００４５】
これによって、排塵時の風量は少なく、換気時の風量は多めなので、その為に屋外へ連通する排塵用のホ−スの直径は小さく、屋外と換気用のホ−スの直径は比較して大きくなり、流れる風速に応じて各々のホ−スの直径を決定できるので、結果的にホ−スの占める
容積をコンパクト化できる。
これは、空気調和機のみならず、排塵・換気機能を必要とする工業分野にも適用できる。
【図面の簡単な説明】
【００４６】
【図１】本発明の実施の形態１におけるエアフィルタ−清掃装置の斜視図
【図２】本発明の実施の形態１における空気調和機の室内機の横断面図
【図３】本発明の実施の形態１における排塵装置の正面図
【図４】本発明の実施の形態１における換気・吸気装置の正面図
【図５】本発明の実施の形態２における排塵・換気・吸気・加湿装置の模式図
【図６】従来の実施例のエアフィルタ−清掃装置の斜視図
【符号の説明】
【００４７】
１  エアフィルタ−枠
２  エアフィルタ−
２ａ  ネット
３  吸引ノズル
４  ガイドレ−ル
５  吸引ダクト
６  排塵装置
７  排気口
８  排塵ホ−ス
９  換気・吸気装置
１０換気・吸気口
１１  室内への換気・吸気口
１２  換気・吸気ホ−ス
１３  熱交換器
１４  シロッコファン
１５  ラジアルファン
１６  加湿装置
４０  モ−タ
４１  フィルタ−
４２  除塵部材
４３  ダストボックス
４４  フィルタ−装置
【図１】
2007127289.tif 000003
【図２】
2007127289.tif 000004
【図３】
2007127289.tif 000005
【図４】
2007127289.tif 000006
【図５】
2007127289.tif 000007
【図６】
2007127289.tif 000008